(57)【要約】      （修正有）【課題】バッテリー交換不要な電子表示タグおよびその設定管理方法を提供する。【解決手段】電子表示タグ１００は、無線ＲＦモジュール１４０、ディスプレイ１２０、格納体１１０、およびバーコード１３０を含む。無線ＲＦモジュールは、無線ＲＦ信号を受信するために使われる。ディスプレイは、無線ＲＦモジュールと電気的に接続され、製品の価格を表示するために使われる。格納体は、無線ＲＦモジュールおよびディスプレイを格納しており、ディスプレイは格納体から露出する。バーコードは格納体に配置されている。設定モジュールは、無線ＲＦモジュールとバーコードとが共に同じ製品に対応するように、バーコード識別信号および無線ＲＦモジュール識別信号に応じてバーコードと無線ＲＦモジュールとをペアリングする。【選択図】図１
2014041597.tif 000002
【特許請求の範囲】
【請求項１】
ＲＦ信号を受信するための無線ＲＦモジュールと、
製品の価格を表示するために前記無線ＲＦモジュールと電気的に接続された表示デバイスと、
前記無線ＲＦモジュールおよび前記表示デバイスを格納する格納体であって、前記表示デバイスが前記格納体から露出する格納体と、
前記格納体上に形成されたバーコードと
を備え、
バーコード識別信号および無線ＲＦモジュール識別信号に応じて前記バーコードと前記無線ＲＦモジュールとがペアリングされた後、前記無線ＲＦモジュールと前記バーコードとが同じ製品に対応するようになる、
ことを特徴とする電子表示タグ。
【請求項２】
前記格納体上に配置された、前記製品の名称に対応する製品タグをさらに備えることを特徴とする請求項１に記載の電子表示タグ。
【請求項３】
前記表示デバイスと前記無線ＲＦモジュールとを電気的に接続し、かつ前記ＲＦ信号に応じて前記電子表示タグに対して電力を生成する電力発生器をさらに備えることを特徴とする請求項１に記載の電子表示タグ。
【請求項４】
前記電子表示タグが可撓性の電子表示タグとなるように、前記格納体が可撓性の格納体であり、前記表示デバイスが可撓性の表示デバイスである、ことを特徴とする請求項１に記載の電子表示タグ。
【請求項５】
前記電子表示タグが非可撓性の電子表示タグとなるように、前記格納体が固い格納体である、ことを特徴とする請求項１に記載の電子表示タグ。
【請求項６】
電子システムをさらに備え、該電子システムが、前記無線ＲＦモジュールと、前記表示デバイスと、該表示デバイスと電気的に接続された表示回路と、該表示回路および前記無線ＲＦモジュールを電気的に接続し、かつ前記ＲＦ信号に従って電気を生成する電力発生器と、該電力発生器によって生成された前記電気を蓄えるコンデンサであって、前記表示デバイスがフレームを表示するように該蓄えられた電気を前記表示回路に供給するためのコンデンサとを備え、前記コンデンサの静電容量が、０．１〜２０マイクロファラッド（ｍＦ）の範囲内である、ことを特徴とする請求項１に記載の電子表示タグ。
【請求項７】
電子表示タグであって、無線ＲＦモジュール、表示デバイス、格納体、およびバーコードを備え、前記無線ＲＦモジュールがＲＦ信号を受信するために使用され、前記表示デバイスが製品の価格を表示するために前記無線ＲＦモジュールと電気的に接続され、前記格納体が前記無線ＲＦモジュールおよび前記表示デバイスを格納し、前記表示デバイスが前記格納体から露出し、前記バーコードが前記格納体上に形成される電子表示タグを用意するステップと、
前記無線ＲＦモジュールと前記バーコードとが同じ製品に対応するように、バーコード識別信号および無線ＲＦモジュール識別信号に応じて、前記バーコードと前記無線ＲＦモジュールとをペアリングするステップと、
を含むことを特徴とする設定管理方法。
【請求項８】
バーコードリーダが前記バーコードを読み取った後に、前記バーコード識別信号を設定モジュールに伝送するステップと、
ＲＦリーダからの前記ＲＦ信号に応じて、前記電子表示タグに対して電力を生成するステップと、
をさらに含むことを特徴とする請求項７に記載の設定管理方法。
【請求項９】
前記無線ＲＦモジュールが、前記無線ＲＦモジュール識別信号を前記バーコードリーダに伝送するステップと、
前記バーコードリーダが前記バーコードを読み取るステップと、
前記バーコードリーダが、前記無線ＲＦモジュール識別信号を受信した後に、前記バーコード識別信号および前記無線ＲＦモジュール識別信号を前記設定モジュールに伝送するステップと、
をさらに含むことを特徴とする請求項７に記載の設定管理方法。
【請求項１０】
前記バーコードリーダが、前記バーコードを読み取った後に前記バーコード識別信号を前記無線ＲＦモジュールに伝送するステップと、
前記無線ＲＦモジュールが前記バーコード識別信号を受信するステップと、
前記無線ＲＦモジュールが、前記バーコード識別信号および前記無線ＲＦモジュール識別信号を前記設定モジュールに伝送するステップと、
をさらに含むことを特徴とする請求項７に記載の設定管理方法。
【請求項１１】
前記無線ＲＦリーダが、データベースに設定されている、前記製品の前記価格と前記無線ＲＦモジュールとの間の対応関係に応じて、前記無線ＲＦモジュールに対応する前記製品の前記価格を得た後に、価格設定信号を生成するステップと、
前記無線ＲＦモジュールが、前記無線ＲＦリーダから前記価格設定信号を受信するステップと、
前記表示デバイスが、前記価格設定信号に応じて前記対応する価格を表示するステップと、
をさらに含むことを特徴とする請求項７に記載の設定管理方法。
【請求項１２】
前記電子表示タグが、前記無線ＲＦモジュールと、前記表示デバイスと、該表示デバイスと電気的に接続された表示回路と、該表示回路および前記無線ＲＦモジュールを電気的に接続する電力発生器と、コンデンサとを備える電子システムをさらに備え、
前記電力発生器が、外部リーダによって誘導される前記電子表示タグの時間間隔内に、前記ＲＦ信号に応じて電気を生成するステップと、前記表示デバイスがフレームを表示するように前記コンデンサが蓄えられた電気を前記表示回路に供給するために、前記電力発生器によって生成された電気を蓄えるステップと、をさらに含み、
前記コンデンサの静電容量が、０．１〜２０ｍＦの範囲内である、
ことを特徴とする請求項７に記載の設定管理方法。
【発明の詳細な説明】
【技術分野】
【０００１】
本発明は、一般に、電子表示タグおよびその設定管理方法に関し、より詳細には、無線技術を利用した電子表示タグおよび設定管理方法に関する。
【背景技術】
【０００２】
従来の電子表示タグは、表示デバイス、制御チップ、およびバッテリーを備える。制御チップは、製品価格を表示するように表示デバイスを制御することができ、また、バッテリーは、制御チップおよび表示デバイスに必要な電力を供給する。
【０００３】
しかしながら、バッテリーの電力が尽きたときに、電子表示タグのバッテリーを交換することは面倒である。多数の電子表示タグを交換するには、多くの時間が掛かる。さらに、各電子表示タグのバッテリーの電力の状態は、バッテリーの使用条件によって異なる。このため、複数の電子表示タグを管理することは、使用者の負担になる。
【０００４】
台湾特許第Ｍ４２２１２２号明細書では、スマートカードは、交換可能なバッテリー構造を備える。このようなスマートカードには、依然として、上記の欠点がある。
【先行技術文献】
【特許文献】
【０００５】
【特許文献１】台湾特許第Ｍ４２２１２２号明細書
【発明の概要】
【発明が解決しようとする課題】
【０００６】
本発明は、実施形態において、内蔵バッテリーを必要とせず、したがって、バッテリーの交換を避けることのできる電子表示タグおよびその設定管理方法に関する。
【課題を解決するための手段】
【０００７】
本発明の実施形態によれば、電子表示タグが提供される。電子表示タグは、無線ＲＦモジュール、表示デバイス、格納体、およびバーコードを備える。無線ＲＦモジュールは、ＲＦ信号を受信するためのものである。表示デバイスは、製品の価格を表示するために無線ＲＦモジュールと電気的に接続されている。格納体は、無線ＲＦモジュールおよび表示デバイスを格納しており、この場合、表示デバイスは、格納体から露出している。バーコードは、格納体上に形成されている。バーコード識別信号および無線ＲＦモジュール識別信号に応じてバーコードと無線ＲＦモジュールとがペアリングされた後、無線ＲＦモジュールとバーコードとは、同じ製品に対応するようになる。
【０００８】
本発明の実施形態によれば、電子表示タグの設定管理方法が提供される。設定管理方法は、以下に示すステップを含む。電子表示タグであって、無線ＲＦモジュール、表示デバイス、格納体、およびバーコードを備え、無線ＲＦモジュールが、ＲＦ信号を受信するために使用され、表示デバイスが、製品の価格を表示するために、無線ＲＦモジュールと電気的に接続されており、格納体が、無線ＲＦモジュールおよび表示デバイスを格納しており、表示デバイスが、格納体から露出しており、バーコードが、格納体上に形成されている電子表示タグを用意するステップと、無線ＲＦモジュールとバーコードとが同じ製品に対応するように、バーコード識別信号および無線ＲＦモジュール識別信号に応じて、バーコードと無線ＲＦモジュールとをペアリングするステップとである。
【０００９】
本発明の上記および他の態様は、非限定的な好ましい実施形態に関する以下の詳細な説明を考慮することによって、より良く理解されるようになる。以下の説明については、添付図面を参照しながら行う。
【図面の簡単な説明】
【００１０】
【図１】本発明の実施形態に係る電子表示タグの外観図を示している。
【図２】図１の電子表示タグの機能ブロック図を示している。
【図３】図１の電子表示タグの設定手順図を示している。
【図４】本実施形態のデータベース図を示している。
【図５】他の実施形態の電子表示タグの設定手順図を示している。
【図６】他の実施形態の電子表示タグの設定手順図を示している。
【図７】他の実施形態に係る電子表示タグにおける価格の設定手順図を示している。
【図８】他の実施形態に係る電子表示タグの機能ブロック図を示している。
【図９】図８における電子表示タグと外部リーダとの間の電磁誘導の電気的特性図を示している。
【発明を実施するための形態】
【００１１】
図１を参照すると、本発明の実施形態に係る電子表示タグの外観図が示されている。電子表示タグ１００は、格納体１１０、表示デバイス１２０、バーコード１３０、および無線ＲＦモジュール１４０を備える。
【００１２】
格納体１１０は、無線ＲＦモジュール１４０および表示デバイス１２０を保護するために、無線ＲＦモジュール１４０および表示デバイス１２０を格納している。
【００１３】
格納体１１０は、例えば、カード体またはカバー体である。格納体１１０がカード体の場合、格納体１１０はＰＶＣから作製される。格納体１１０がカバー体の場合、格納体１１０は、上部カバーおよび下部カバーを備えてもよい。表示デバイス１２０、バーコード１３０、および無線ＲＦモジュール１４０は、上部カバーと下部カバーとの間に収容される。
【００１４】
本実施形態では、格納体１１０は、電子表示タグ１００が可撓性の電子表示タグとなるように、可撓性である。他の実施形態では、格納体１１０は、電子表示タグ１００が非可撓性の電子表示タグとなるように、固い格納体である。
【００１５】
本実施形態では、格納体１１０の形状は、矩形である。他の実施形態では、格納体１１０の形状は、円形、楕円形、または多角形などである。格納体１１０は、表示デバイス１２０の表示フレームが格納体１１から露わになるように、全体的に透明なカード体、または、部分的に透明なカード体である。
【００１６】
図１に示されているように、電子表示タグ１００は、格納体１１０上に配置された製品タグ１１５をさらに備える。本実施形態では、製品タグ１１５は、製品名表示（ｄｉｓｐｌａｙ  ｐｒｏｄｕｃｔ  ｎａｍｅ）である。製品名表示は、例えば、印刷または手書きによって作られる。他の実施形態では、製品タグ１１５は、製品のパターンであってもよい。製品のパターンによって、電子表示タグ１００が実際の製品の正しい位置に配置されていない場合でも、製品タグ１１５に示されている情報をもとに、実際の製品を見つけることができる。
【００１７】
バーコード１３０は、格納体１１０の外面に形成される。本実施形態では、バーコード１３０は、二次元バーコードであってもよい。他の実施形態では、バーコード１３０は、三次元バーコードであってもよい。
【００１８】
本実施形態では、バーコード１３０は、製品タグ１１５に印刷されている。他の実施形態では、バーコード１３０は、別の製品タグに印刷され、その後、格納体１１０上に貼り付けられてもよい。あるいは、バーコード１３０は、格納体１１０に直接印刷されてもよく、この場合、製品タグ１１５は取り除かれていてもよい。
【００１９】
図２を参照すると、図１の電子表示タグの機能ブロック図が示されている。
【００２０】
表示デバイス１２０は、無線ＲＦモジュール１４０と電気的に接続されている。表示デバイス１２０は、可撓性の表示デバイス、または、非可撓性の表示デバイスであってもよい。表示デバイス１２０が可撓性の表示デバイスの場合、表示デバイス１２０は、格納体１１０が曲げられるのに伴い、曲げられ得るが、この場合に、表示デバイス１２０の機能が、悪影響を受けることはない。
【００２１】
このような表示デバイス１２０は、可撓性の表示デバイス１２０が、電力供給がない場合に、恒久的または一時的に表示内容を維持することができるように、双安定性または多安定性を有する。例えば、表示デバイス１２０は、電気泳動ディスプレイ、コレステリック液晶ディスプレイ（ｃｈｏｌｅｓｔｅｒｏｌ  ｌｉｑｕｉｄ  ｃｒｙｓｔａｌ  ｄｉｓｐｌａｙ）、液晶ディスプレイ、双安定ディスプレイ、または多安定ディスプレイなどによって実現される。表示デバイス１２０は、可撓性の有機発光ダイオード（ＯＬＥＤ）ディスプレイ、可撓性の発光ダイオード（ＬＥＤ）ディスプレイ、または可撓性の液晶ディスプレイなどによって、さらに実現されてもよい。さらに、可撓性の表示デバイス４１０は、セグメントタイプ、ドット・マトリックス・タイプ、またはパターンタイプによって、さらに実現されてもよい。
【００２２】
図２に示されているように、無線ＲＦモジュール１４０は、ＲＦモジュールリーダＲ１からのＲＦ信号ＷＬを受信するために使用される。無線ＲＦモジュール１４０は、非接触モードおよびデュアル・インターフェース・モードによって実現される。無線ＲＦモジュール１４０は、ＩＳＯ７８１６規格、ＩＳＯ／ＩＥＣ１４４４３  Ａ／Ｂ規格、ＩＳＯ１５６９３規格、ＩＳＯ／ＩＥＣ１８０００−３規格、ＥＭＶ規格、ＥＭＶ非接触規格、ＭｉＦａｒｅ規格、またはＩＳＯ／ＩＥＣ１８０９２  ＮＦＣＩＰ−１規格などに準拠する。
【００２３】
図２に示されているように、電子表示タグ１００は、表示デバイス１２０、スマートカード集積回路１６０、および表示回路１７０と電気的に接続された電力発生器１５０をさらに備える。電力発生器１５０は、無線ＲＦモジュール１４０を介してＲＦ信号ＷＬを受信し、電子表示タグ１００（スマートカード集積回路１６０、構成部品など）に電力を供給するために、ＲＦ信号ＷＬに応じて（電磁誘導の原理に基づいて）電気（図示せず）を生成する。これにより、電子表示タグ１００は、通常動作することができる。結果として、電子表示タグ１００は、バッテリーがなくても、通常動作することができ、バッテリーの交換を避けることができる。
【００２４】
図示していないが、電力発生器１５０は、直流（ＤＣ）を、表示回路１７０が必要とする動作電圧に変換するＤＣ／ＤＣコンバータ（図示せず）をさらに備える。
【００２５】
スマートカード集積回路１６０は、セキュリティ確認を実行し、セキュリティ確認が成功した場合にのみ、無線ＲＦモジュール１４０は、スマートカード集積回路１６０を介して表示回路１７０と通信することを許可される。スマートカード集積回路１６０は、セキュリティモジュール１６１および記憶部１６２を備える。セキュリティモジュール１６１は、ハッカーの侵入を防ぐために、セキュリティ確認を実行し、セキュリティ確認が成功した場合にのみ、記憶部１６２のデータがアクセスされる。
【００２６】
図２に示されているように、表示回路１７０は、表示デバイス１２０と接続されており、また、表示ドライバ１７１および表示コントローラ１７２を備える。表示ドライバ１７１は、表示デバイス１２０と接続されており、表示デバイス１２０を駆動するために使用される。表示コントローラ１７２は、表示ドライバ１７１およびスマートカード集積回路１６０と接続されており、表示ドライバ１７１を制御するために使用される。表示コントローラ１７２が必要とする電気は、電力発生器１５０から供給され、また、表示デバイス１２０がフレームを表示するのに十分なものである。
【００２７】
図３を参照すると、図１の電子表示タグの設定手順図が示されている。
【００２８】
最初に、電子表示タグ１００が用意される。
【００２９】
次に、設定モジュール２００は、無線ＲＦモジュール識別信号Ｓ１およびバーコード識別信号Ｓ２に応じて、バーコード１３０と無線ＲＦモジュール１４０とをペアリングする。これにより、無線ＲＦモジュール１４０とバーコード１３０とは、同じ製品に対応するようになる。
【００３０】
無線ＲＦモジュール識別信号Ｓ１は、無線ＲＦモジュール１４０が供給する情報に応じて、ＲＦリーダＲ１によって生成される。無線ＲＦモジュール識別信号Ｓ１は、無線ＲＦモジュール１４０の固有識別（ＩＤ）などの、無線ＲＦモジュール１４０の関連情報を含む。バーコード識別信号Ｓ２は、バーコード１３０が供給する情報に応じて、バーコードリーダＲ２によって生成される。バーコード識別信号Ｓ２は、バーコード１３０の固有識別などの、バーコード１３０の関連情報を含む。
【００３１】
本実施形態では、設定モジュール２００は、バックエンドサーバ（図示せず）に配置されていてもよい。他の実施形態では、設定モジュール２００は、ＲＦリーダＲ１およびバーコードリーダＲ２のいずれか一方に配置されてもよい。さらに、設定モジュール２００は、通信モジュール２１０、プロセッサ２２０、および記憶装置２３０を備える。本実施形態では、通信モジュール２１０は、無線通信モジュールである。他の実施形態では、通信モジュール２１０は、有線通信モジュールである。通信モジュール２１０は、無線ＲＦモジュール識別信号Ｓ１およびバーコード識別信号Ｓ２を受信し、次に、無線ＲＦモジュール識別信号Ｓ１およびバーコード識別信号Ｓ２をプロセッサ２２０に伝送することができる。プロセッサ２２０は、バーコード１３０と無線ＲＦモジュール１４０とをペアリングし、これにより、無線ＲＦモジュール１４０とバーコード１３０とは、同じ製品に対応するようになる。
【００３２】
図３に示されているように、例えば、バーコードリーダＲ２は、最初にバーコード１３０を読み取った後に、バーコード識別信号Ｓ２を設定モジュール２００に伝送し、次に、ＲＦリーダＲ１が、電子表示タグ１００に近づけられ、次に、無線ＲＦモジュール１４０が、無線ＲＦモジュール識別信号Ｓ１を設定モジュール２００に伝送し、次に、設定モジュール２００が、バーコード１３０と無線ＲＦモジュール１４０とをペアリングし、これにより、バーコード１３０と無線ＲＦモジュール１４０とが、同じ製品に対応するようにしてもよい。他の実施形態では、バーコードリーダＲ２がバーコード１３０を読み取るステップが、ＲＦリーダＲ１が電子表示タグ１００に近づけられるステップ、および、無線ＲＦモジュール１４０が無線ＲＦモジュール識別信号Ｓ１を設定モジュール２００に伝送するステップの後に、実行されてもよい。
【００３３】
先に説明したように、ＲＦリーダＲ１およびバーコードリーダＲ２は、製品自体（製品のバーコードなど）と通信しないで、電子表示タグ１００と通信できる。本実施形態では、ＲＦリーダＲ１およびバーコードリーダＲ２は、それぞれ、独立したハンドへルド装置である。他の実施形態では、バーコードリーダＲ２およびＲＦリーダＲ１は、単一のハンドへルド装置に統合されてもよい。
【００３４】
図３に示されているように、ＲＦリーダＲ１は、電子表示タグ１００の無線ＲＦモジュール１４０と通信するための無線ＲＦモジュールＲ１１、および、設定モジュール２００の通信モジュール２１０と通信するための通信モジュールＲ１２を備える。本実施形態では、通信モジュールＲ１２は、無線通信モジュールである。他の実施形態では、通信モジュールＲ１２は、有線通信モジュールである。
【００３５】
図３に示されているように、バーコードリーダＲ２は、通信モジュールＲ２１を備え、バーコードリーダＲ２の通信モジュールＲ２１は、設定モジュール２００の通信モジュール２１０と通信するために使用される。
【００３６】
以下、複数のペアリング方法のうちの１つについて、図４を参照しながら説明する。
【００３７】
図４を参照すると、本実施形態のデータベース図が示されている。設定モジュール２００は、データベースＢをさらに含む。データベースＢは、製品名フィールド、バーコードフィールド、および無線ＲＦモジュールフィールドを含む。図示していないが、データベースＢは、価格フィールド、または、製品についての情報に関連する他のフィールドをさらに含んでもよい。製品Ａ１を例に挙げてみると、製品Ａ１とバーコード１３０との間の対応関係は、１対１である。この対応関係が、製品名フィールドおよびバーコードフィールドＴ１を事前に満たしていてもよく、この場合、バーコードフィールドＴ１は、バーコード識別信号Ｓ２または他の適切なデータによって満たされてもよい。バーコード１３０と無線ＲＦモジュール１４０とがペアリングされた後、製品Ａ１に対応する無線ＲＦフィールドＴ２は、無線ＲＦモジュール識別信号Ｓ１または他の適切なデータによって満たされ得る。結果として、バーコード１０３および無線ＲＦモジュール１４０は、共に、同じ製品Ａ１に対応するようになる。
【００３８】
本実施形態では、データベースＢは、設定モジュール２００の記憶部２３０またはＲＦリーダＲ１に記憶されている。他の実施形態では、データベースＢは、設定モジュール２００の記憶部２３０に記憶され、ケーブルまたは無線を経由してＲＦリーダＲ１に伝送される。
【００３９】
上記の実施形態における無線ＲＦモジュール識別信号Ｓ１およびバーコード識別信号Ｓ２は、それぞれ、異なるリーダによって設定モジュール２００に伝送されている。しかしながら、無線ＲＦモジュール識別信号Ｓ１およびバーコード識別信号Ｓ２は、同一のリーダによって、設定モジュール２００に伝送されてもよい。以下では、例として、図４および図５について考察する。
【００４０】
図５を参照すると、他の実施形態の電子表示タグの設定手順図が示されている。
【００４１】
最初に、ＲＦリーダＲ１が、電子表示タグ１００に近づけられ、次に、無線ＲＦモジュール１４０が、無線ＲＦモジュール識別信号Ｓ１をバーコードリーダＲ２に伝送し、次に、バーコードリーダＲ２が、バーコード１３０を読み取り、対応するバーコード識別信号Ｓ２を生成し、次に、バーコードリーダＲ２が、無線ＲＦモジュール識別信号Ｓ１およびバーコード識別信号Ｓ２を設定モジュール２００に伝送し、次に、設定モジュール２００が、バーコード１３０と無線ＲＦモジュール１４０とをペアリングし、これにより、無線ＲＦモジュール１４０とバーコード１３０とは、同じ製品に対応するようになる。
【００４２】
図６を参照すると、他の実施形態の電子表示タグの設定手順図が示されている。
【００４３】
最初に、バーコードリーダＲ２が、バーコード１３０を読み取った後、バーコードリーダＲ２は、バーコード識別信号Ｓ２を無線ＲＦモジュール１４０に伝送し、次に、無線ＲＦモジュール１４０が、バーコード識別信号Ｓ２を受信し、次に、バーコードリーダＲ２が、電子表示タグ１００に近づけられ、次に、無線ＲＦモジュール１４０が、無線ＲＦモジュール識別信号Ｓ１およびバーコード識別信号Ｓ２を設定モジュール２００に伝送し、次に、設定モジュール２００が、バーコード１３０と無線ＲＦモジュール１４０とをペアリングし、これにより、無線ＲＦモジュール１４０とバーコード１３０とは、同じ製品に対応するようになる。
【００４４】
図７を参照すると、他の実施形態に係る電子表示タグにおける価格の設定手順図が示されている。
【００４５】
最初に、ＲＦリーダＲ１が、電子表示タグ１００に近づけられたとき、無線ＲＦリーダＲ１は、データベースＢに従って設定された、製品の価格と無線ＲＦモジュール１４０との間の対応関係に応じて、無線ＲＦモジュール１４０に対応する製品の価格を得た後に、価格設定信号Ｓ３を無線ＲＦモジュール１４０に対して生成する。価格設定信号Ｓ３は当該製品の価格情報を表すか、または、これを担う。一方、電力発生器１５０は、ＲＦリーダＲ１から伝送されたＲＦ信号ＷＬに応じて電力を生成し、電子表示タグ１００に電力を供給する。次に、無線ＲＦモジュール１４０は、ＲＦリーダＲ１からの価格設定信号Ｓ３を受信し、次に、表示デバイス１２０は、価格設定信号Ｓ３に応じて、図７に示されている数字「１２３」のような対応する価格を表示する。
【００４６】
更新されたデータベースＢがＲＦリーダＲ１に記憶される場合には、ＲＦリーダＲ１が価格を設定するプロセス中に、ＲＦリーダＲ１が設定モジュール２００から切断することができる。または、設定モジュール２００のデータベースＢに情報を記憶するために、もしくは、設定モジュール２００のデータベースＢの情報を読み取るために、設定モジュール２００とＲＦリーダＲ１とが（有線または無線によって）接続される場合には、ＲＦリーダＲ１が価格を設定するプロセス中に、更新されたデータベースＢがあってもなくても許容される。
【００４７】
図８を参照すると、他の実施形態に係る電子表示タグの機能ブロック図が示されている。電子表示タグ２００は、格納体１１０、表示デバイス１２０、電気システム２８０、およびバーコード１３０を備える。可撓性の薄いタイプの電子システムまたは非可撓性の薄いタイプの電子システムなどの電気システム２８０は、表示デバイス１２０、無線ＲＦモジュール１４０、電力発生器１５０、コンデンサ１５５、スマートカード集積回路１６０、および表示回路１７０を備えてもよい。スマートカード集積回路１６０および表示回路１７０は、集積回路の全部もしくは一部を共有するか、または、単一の集積回路上に配置される。
【００４８】
図９を参照すると、図８における電子表示タグと外部リーダとの間の電磁誘導の電気的特性図が示されている。曲線Ｃ１は、表示動作を完遂するために電子表示タグ２００が必要とする負荷電流を表しており、曲線Ｃ２は、電子表示タグ２００およびリーダによって発生する誘導電流を表しており、電流差ΔＩ＝Ｃ２−Ｃ１が定義される。時間間隔ｔ１では、電流差ΔＩは正であり、誘導電流は、電子表示タグ２００に供給することができ、余分な誘導電流は、コンデンサ１５５に付加的に蓄えることができる。時間間隔ｔ１の後（時間間隔ｔ２）では、電流差ΔＩは、必要とされる負荷電流が上昇するため、負となる。しかしながら、コンデンサ１５５に蓄えられた不足電流が、動作を完遂するために供給される。時間間隔ｔ３は、電子表示タグ２００と外部リーダとの間の電磁誘導の誘導時間を表している。時間間隔ｔ３の後、電子表示タグ２００が外部リーダから離されることによって、誘導曲線Ｃ２はゼロまで低下する。曲線Ｃ３は、充電−放電曲線を表している。図９に示されているように、時間間隔ｔ１では、電流差ΔＩはゼロより大きく、電力発生器１５０によって生成される電気は、コンデンサ１５５に蓄えられる。時間間隔ｔ２では、電流差ΔＩは、電子表示タグ２００にとって必要な電流が、電力発生器１５０によって生成される誘導電流よりも大きくなるため、ゼロより小さくなる。しかしながら、時間間隔ｔ１においてコンデンサ１５５に蓄えられた余分な電流が、時間間隔ｔ２において動作（つまり、フレームの表示）を継続するために、電子表示タグ２００に供給され得る。実施形態では、コンデンサ１５５の静電容量は、０．１〜２０マイクロファラッド（ｍＦ）の範囲内であり、好ましくは、０．１〜１０マイクロファラッドの範囲内である。これにより、時間間隔ｔ１が非常に短くても、十分な電流をコンデンサ１５５に蓄えることができる。さらに、コンデンサ１５５は、付加的に形成することができ、したがって、電力発生器１５０に組み込むことができる。
【００４９】
電子表示タグ２００と外部カードリーダとの間の接続のプロセスの間、電力発生器１５０によって生成される電気の一部は、表示回路１７０の通常動作を維持するために供給される。一方、電力発生器１５０によって生成されるそれ以外の電気は、コンデンサ１５５に蓄えられる。電子表示タグ２００が外部カードリーダの電磁誘導の範囲の外側にあることによって、電力発生器１５０が電気を生成することができない場合、コンデンサ１５５に蓄えられた電気が、表示回路１７０の通常動作を維持するために供給される。
【００５０】
本発明について、例を挙げて、好ましい実施形態の観点から説明してきたが、本発明はこれに限定されないことが理解されるべきである。それどころか、本発明は、様々な修正例ならびに同様の構成および手順を含むよう意図されており、したがって、添付の特許請求の範囲については、すべてのこのような修正例および同様の構成および手順が包含されるように、最も広い解釈が認められるべきである。
【図１】
2014041597.tif 000003
【図２】
2014041597.tif 000004
【図３】
2014041597.tif 000005
【図４】
2014041597.tif 000006
【図５】
2014041597.tif 000007
【図６】
2014041597.tif 000008
【図７】
2014041597.tif 000009
【図８】
2014041597.tif 000010
【図９】
2014041597.tif 000011
【外国語明細書】
2014041597000001.pdf